(57)【要約】【課題】表示画面への映り込みが発生する可能性がなく、表示装置を配置するのにより適した位置を通知することが可能な表示装置、テレビジョン受信機及びプログラムを提供する。【解決手段】テレビジョン受信機は、操作部を介して、テレビジョン受信機が設置される部屋における視聴環境情報を受け付け、受け付けた視聴環境情報に基づいて、この部屋の内部でテレビジョン受信機の設置が可能な候補位置を特定する。テレビジョン受信機は、特定した各候補位置について、受け付けた視聴環境情報に基づいて、映り込みが発生する可能性が有るか否かを判定し、映り込みが発生する可能性が有ると判定した位置を候補位置から除外する。テレビジョン受信機は、残った候補位置を、テレビジョン受信機の設置に適した位置としてユーザに通知する。【選択図】図２
2013258673.tif 000002
【特許請求の範囲】
【請求項１】
表示部を有する表示装置において、
配置される部屋の内部に係る情報を受け付ける受付部と、
該受付部が受け付けた情報に基づいて、前記部屋の内部で配置可能な候補位置を１又は複数特定する特定部と、
前記受付部が受け付けた情報に基づいて、前記特定部が特定した候補位置について、それぞれの候補位置に配置した場合に前記表示部に映り込みが発生する可能性の有無を判定する判定部と、
該判定部にて映り込みが発生する可能性が無いと判定された候補位置を報知する報知部と
を備えることを特徴とする表示装置。
【請求項２】
前記表示部の表示面の大きさを記憶してある記憶部を備え、
前記部屋の内部に係る情報は、前記部屋の大きさ及び形状を含む情報であり、
前記特定部は、前記受付部が受け付けた情報に含まれる前記部屋の大きさ及び形状と、前記記憶部に記憶してある表示面の大きさとに基づいて候補位置を特定するようにしてあることを特徴とする請求項１に記載の表示装置。
【請求項３】
前記部屋の内部に係る情報は、光源の位置を含む情報であり、
前記判定部は、前記表示部の表示面を基準とする所定領域内に前記光源が存在するか否かに基づいて、前記表示部に映り込みが発生する可能性の有無を判定するようにしてあることを特徴とする請求項１又は２に記載の表示装置。
【請求項４】
前記部屋の内部に係る情報は、光源の位置を含む情報であり、
前記判定部は、前記光源からの光が前記表示部の表示面に入射するか否かに基づいて、前記表示部に映り込みが発生する可能性の有無を判定するようにしてあることを特徴とする請求項１又は２に記載の表示装置。
【請求項５】
前記光源の位置は、窓の位置及び照明器具の配置位置であることを特徴とする請求項３又は４に記載の表示装置。
【請求項６】
撮像部と、
該撮像部が撮像して得られた画像データに基づいて、光源の位置を検出する光源検出部とを備え、
前記判定部は、前記受付部が受け付けた情報及び前記光源検出部が検出した光源の位置に基づいて、前記特定部が特定した候補位置について、それぞれの候補位置に配置した場合に前記表示部に映り込みが発生する可能性の有無を判定するようにしてあることを特徴とする請求項１又は２に記載の表示装置。
【請求項７】
前記部屋の内部に係る情報は、前記部屋の位置情報及び窓の配置方角を含み、
太陽の軌道情報を記憶してある軌道情報記憶部と、
前記部屋の位置情報及び窓の配置方角、並びに、前記軌道情報記憶部に記憶してある軌道情報に基づいて、前記窓から太陽光が入射するか否かを検出する入射検出部とを備え、
前記判定部は、前記受付部が受け付けた情報及び前記入射検出部による検出結果に基づいて、前記特定部が特定した候補位置について、それぞれの候補位置に配置した場合に前記表示部に映り込みが発生する可能性の有無を判定するようにしてあることを特徴とする請求項１又は２に記載の表示装置。
【請求項８】
前記判定部は、各候補位置について映り込みが発生する可能性の有無を時系列的に判定するようにしてあり、
１年間のうちで、前記判定部にて映り込みが発生する可能性が有ると判定された時間を算出する算出部を備え、
前記報知部は、前記算出部が算出した時間が短い候補位置を報知するようにしてあることを特徴とする請求項７に記載の表示装置。
【請求項９】
使用時間帯を受け付ける使用時間帯受付部を備え、
前記算出部は、前記使用時間帯受付部が受け付けた使用時間帯で、前記判定部にて映り込みが発生する可能性が有ると判定された時間を算出するようにしてあることを特徴とする請求項８に記載の表示装置。
【請求項１０】
前記部屋の内部に係る情報は、前記部屋に配置される配置物の配置位置を含む情報であり、
前記判定部は、前記配置物によって前記光源からの光が反射された反射光が、前記表示部の表示面に入射するか否かに基づいて、前記表示部に映り込みが発生する可能性の有無を判定するようにしてあることを特徴とする請求項３から９までのいずれかひとつに記載の表示装置。
【請求項１１】
前記表示部の表示面を基準とする所定領域内に前記配置物が存在するか否かを判断する判断部を備え、
前記判定部は、前記判断部にて存在すると判断された配置物について、前記反射光が表示面に入射するか否かを判定するようにしてあることを特徴とする請求項１０に記載の表示装置。
【請求項１２】
前記部屋の内部に係る情報は、前記配置物の色情報を含む情報であり、
複数の色情報のそれぞれに対応付けて、映り込みが発生する可能性の有無を記憶してある色情報記憶部を備え、
前記判定部は、前記色情報記憶部に映り込みが発生する可能性が有ると記憶してある色情報の配置物について、前記反射光が前記表示部の表示面に入射するか否かを判定するようにしてあることを特徴とする請求項１０又は１１に記載の表示装置。
【請求項１３】
複数の配置物のそれぞれに対応付けて、映り込みが発生する可能性の有無を記憶してある配置物情報記憶部を備え、
前記判定部は、前記配置物情報記憶部に映り込みが発生する可能性が有ると記憶してある配置物について、前記反射光が前記表示部の表示面に入射するか否かを判定するようにしてあることを特徴とする請求項１０又は１１に記載の表示装置。
【請求項１４】
前記配置物は、家具及び／又は家電製品であることを特徴とする請求項１０から１３までのいずれかひとつに記載の表示装置。
【請求項１５】
請求項１から１４までのいずれかひとつに記載の表示装置と、
テレビジョン放送を受信する受信部とを備え、
該受信部にて受信したテレビジョン放送に基づいて前記表示装置に映像を表示するようにしてあることを特徴とするテレビジョン受信機。
【請求項１６】
コンピュータに、
表示部を有する表示装置が配置される部屋の内部に係る情報に基づいて、前記部屋の内部で前記表示装置を配置可能な候補位置を１又は複数特定する特定ステップと、
前記部屋の内部に係る情報に基づいて、前記特定ステップで特定した候補位置について、それぞれの候補位置に配置した場合に前記表示部に映り込みが発生する可能性の有無を判定する判定ステップと、
該判定ステップで映り込みが発生する可能性が無いと判定された候補位置を報知する報知ステップと
を実行させることを特徴とするプログラム。
【発明の詳細な説明】
【技術分野】
【０００１】
本発明は、より良好な視聴環境の実現が可能な表示装置、テレビジョン受信機及びプログラムに関する。
【背景技術】
【０００２】
近年、液晶ディスプレイ、プラズマディスプレイ及び有機ＥＬ（Electro Luminescence）ディスプレイの大型化に伴い、一般家庭で使用されるテレビジョン受信機の大型化も進んでいる。一方、ホームシアターのようにテレビジョン受信機を使用したコンテンツの視聴に適した環境を整えている家庭は少ない。従って、一般家庭では、窓から自然光が差し込み、照明器具から人工光が発せられる環境でテレビジョン受信機が使用されることが多い。このような環境でテレビジョン受信機を使用した場合、視聴状況によって表示画面に光（自然光及び人工光）等の映り込みが生じてしまい、映像の視認性が悪化する。例えば、表示画面に対して視聴者の位置と同じ方向に光源（窓及び照明器具）があった場合、表示画面に視聴者及び光源が映り込んでしまう。
【０００３】
そこで、特許文献１では、基準視点（視聴者の位置）から表示画面を見た場合に表示画面に映り込む光源の映り込み領域を低減させるように、表示画面の向きを自動的に調整する映像表示装置が提案されている。特許文献１に開示された技術では、表示画面の向きが自動的に変更されるので、視聴者の操作負担がない。
【先行技術文献】
【特許文献】
【０００４】
【特許文献１】特開２０１０−２１２９２７号公報
【発明の概要】
【発明が解決しようとする課題】
【０００５】
特許文献１に開示された技術では、既に設置された映像表示装置において表示画面の向きを変更するだけなので、映り込み領域の低減には限界がある。即ち、映り込み領域が大きい場合、例えば、表示画面が強い光源に対向している場合、表示画面の向きを変更しても、映り込み領域を良好に低減させることはできない。
【０００６】
本発明は、斯かる事情に鑑みてなされたものである。その目的とするところは、表示画面に映り込みが発生する可能性がより少なく、表示装置を配置するのにより適した位置を通知できるので、より良好な視聴環境の実現を促すことができる表示装置、テレビジョン受信機及びプログラムを提供することにある。
【課題を解決するための手段】
【０００７】
本発明に係る表示装置は、表示部を有する表示装置において、配置される部屋の内部に係る情報を受け付ける受付部と、該受付部が受け付けた情報に基づいて、前記部屋の内部で配置可能な候補位置を１又は複数特定する特定部と、前記受付部が受け付けた情報に基づいて、前記特定部が特定した候補位置について、それぞれの候補位置に配置した場合に前記表示部に映り込みが発生する可能性の有無を判定する判定部と、該判定部にて映り込みが発生する可能性が無いと判定された候補位置を報知する報知部とを備えることを特徴とする。
【０００８】
本発明に係る表示装置は、前記表示部の表示面の大きさを記憶してある記憶部を備え、前記部屋の内部に係る情報は、前記部屋の大きさ及び形状を含む情報であり、前記特定部は、前記受付部が受け付けた情報に含まれる前記部屋の大きさ及び形状と、前記記憶部に記憶してある表示面の大きさとに基づいて候補位置を特定するようにしてあることを特徴とする。
【０００９】
本発明に係る表示装置は、前記部屋の内部に係る情報は、光源の位置を含む情報であり、前記判定部は、前記表示部の表示面を基準とする所定領域内に前記光源が存在するか否かに基づいて、前記表示部に映り込みが発生する可能性の有無を判定するようにしてあることを特徴とする。
【００１０】
本発明に係る表示装置は、前記部屋の内部に係る情報は、光源の位置を含む情報であり、前記判定部は、前記光源からの光が前記表示部の表示面に入射するか否かに基づいて、前記表示部に映り込みが発生する可能性の有無を判定するようにしてあることを特徴とする。
【００１１】
本発明に係る表示装置は、前記光源の位置は、窓の位置及び照明器具の配置位置であることを特徴とする。
【００１２】
本発明に係る表示装置は、撮像部と、該撮像部が撮像して得られた画像データに基づいて、光源の位置を検出する光源検出部とを備え、前記判定部は、前記受付部が受け付けた情報及び前記光源検出部が検出した光源の位置に基づいて、前記特定部が特定した候補位置について、それぞれの候補位置に配置した場合に前記表示部に映り込みが発生する可能性の有無を判定するようにしてあることを特徴とする。
【００１３】
本発明に係る表示装置は、前記部屋の内部に係る情報は、前記部屋の位置情報及び窓の配置方角を含み、太陽の軌道情報を記憶してある軌道情報記憶部と、前記部屋の位置情報及び窓の配置方角、並びに、前記軌道情報記憶部に記憶してある軌道情報に基づいて、前記窓から太陽光が入射するか否かを検出する入射検出部とを備え、前記判定部は、前記受付部が受け付けた情報及び前記入射検出部による検出結果に基づいて、前記特定部が特定した候補位置について、それぞれの候補位置に配置した場合に前記表示部に映り込みが発生する可能性の有無を判定するようにしてあることを特徴とする
【００１４】
本発明に係る表示装置は、前記判定部は、各候補位置について映り込みが発生する可能性の有無を時系列的に判定するようにしてあり、１年間のうちで、前記判定部にて映り込みが発生する可能性が有ると判定された時間を算出する算出部を備え、前記報知部は、前記算出部が算出した時間が短い候補位置を報知するようにしてあることを特徴とする。
【００１５】
本発明に係る表示装置は、使用時間帯を受け付ける使用時間帯受付部を備え、前記算出部は、前記使用時間帯受付部が受け付けた使用時間帯で、前記判定部にて映り込みが発生する可能性が有ると判定された時間を算出するようにしてあることを特徴とする。
【００１６】
本発明に係る表示装置は、前記部屋の内部に係る情報は、前記部屋に配置される配置物の配置位置を含む情報であり、前記判定部は、前記配置物によって前記光源からの光が反射された反射光が、前記表示部の表示面に入射するか否かに基づいて、前記表示部に映り込みが発生する可能性の有無を判定するようにしてあることを特徴とする。
【００１７】
本発明に係る表示装置は、前記表示部の表示面を基準とする所定領域内に前記配置物が存在するか否かを判断する判断部を備え、前記判定部は、前記判断部にて存在すると判断された配置物について、前記反射光が表示面に入射するか否かを判定するようにしてあることを特徴とする。
【００１８】
本発明に係る表示装置は、前記部屋の内部に係る情報は、前記配置物の色情報を含む情報であり、複数の色情報のそれぞれに対応付けて、映り込みが発生する可能性の有無を記憶してある色情報記憶部を備え、前記判定部は、前記色情報記憶部に映り込みが発生する可能性が有ると記憶してある色情報の配置物について、前記反射光が前記表示部の表示面に入射するか否かを判定するようにしてあることを特徴とする。
【００１９】
本発明に係る表示装置は、複数の配置物のそれぞれに対応付けて、映り込みが発生する可能性の有無を記憶してある配置物情報記憶部を備え、前記判定部は、前記配置物情報記憶部に映り込みが発生する可能性が有ると記憶してある配置物について、前記反射光が前記表示部の表示面に入射するか否かを判定するようにしてあることを特徴とする。
【００２０】
本発明に係る表示装置は、前記配置物は、家具及び／又は家電製品であることを特徴とする。
【００２１】
本発明に係るテレビジョン受信機は、上述したいずれかの表示装置と、テレビジョン放送を受信する受信部とを備え、該受信部にて受信したテレビジョン放送に基づいて前記表示装置に映像を表示するようにしてあることを特徴とする。
【００２２】
本発明に係るプログラムは、コンピュータに、表示部を有する表示装置が配置される部屋の内部に係る情報に基づいて、前記部屋の内部で前記表示装置を配置可能な候補位置を１又は複数特定する特定ステップと、前記部屋の内部に係る情報に基づいて、前記特定ステップで特定した候補位置について、それぞれの候補位置に配置した場合に前記表示部に映り込みが発生する可能性の有無を判定する判定ステップと、該判定ステップで映り込みが発生する可能性が無いと判定された候補位置を報知する報知ステップとを実行させることを特徴とする。
【００２３】
本発明によれば、表示装置は、自装置が配置される部屋の内部に係る情報を受け付け、受け付けた情報に基づいて、自装置が配置可能な候補位置を特定する。また、表示装置は、受け付けた情報に基づいて、特定した各候補位置について、各候補位置に配置した場合に表示部に映り込みが発生する可能性が有るか否かを判定する。そして、表示装置は、映り込みが発生する可能性が無いと判定された候補位置を、自装置の配置に適した位置であると報知する。よって、室内において、映り込みが発生する可能性が無く、表示装置を配置するのに適した位置を特定して通知できる。従って、通知された位置に表示装置を配置した場合、表示画面に映り込みが発生する可能性が低く、表示装置の使用に適した視聴環境を実現できる。
【００２４】
本発明によれば、表示装置は、自装置が配置される部屋の大きさ及び形状を含む情報を受け付け、受け付けた部屋の大きさ及び形状と、表示部の表示面の大きさとに基づいて候補位置を特定する。よって、部屋の大きさ及び形状に応じた候補位置や、大型化が進む表示部の大きさに応じた候補位置を特定できる。また、例えば、部屋の壁に沿った領域（位置）を候補位置として特定できる。
【００２５】
本発明によれば、表示装置は、自装置が配置される部屋における光源の位置を含む情報を受け付け、表示部の表示面を基準とする所定領域内に光源が存在するか否かに基づいて、表示部に映り込みが発生する可能性が有るか否かを判定する。即ち、表示面を基準とした所定領域内に光源が存在する場合、表示部に映り込みが発生する可能性が有ると判定し、表示面を基準とした所定領域内に光源が存在しない場合、表示部に映り込みが発生する可能性が無いと判定する。よって、表示面に光源が映り込む可能性のある領域（所定領域）内に光源が存在しない候補位置を特定でき、このような候補位置を、表示装置の配置に適した位置であると報知できる。
【００２６】
本発明によれば、表示装置は、自装置が配置される部屋における光源の位置を含む情報を受け付け、光源からの光が表示部の表示面に入射するか否かに基づいて、表示部に映り込みが発生する可能性が有るか否かを判定する。即ち、光源からの光が表示面に入射する場合、表示部に映り込みが発生する可能性が有ると判定し、光源からの光が表示面に入射しない場合、表示部に映り込みが発生する可能性が無いと判定する。よって、光源から発せられる光が表示面に映り込む可能性のない候補位置を特定でき、このような候補位置を、表示装置の配置に適した位置であると報知できる。
【００２７】
本発明によれば、表示装置は、自装置が配置される部屋において、窓から差し込む自然光と照明器具から発せされる人工光とについて、表示部に映り込みが発生する可能性が有るか否かを判定できる。よって、映り込みの主たる原因となる光（自然光及び人工光）が表示画面に映り込む可能性のない候補位置を、表示装置の配置に適した位置に特定できる。
【００２８】
本発明によれば、表示装置は、撮像部にて撮像して得られた画像データに基づいて、光源の位置を検出し、受け付けた情報及び検出した光源の位置に基づいて、各候補位置に配置した場合に表示部に映り込みが発生する可能性が有るか否かを判定する。よって、実際の光源の位置に基づいた判定が可能となる。
【００２９】
本発明によれば、表示装置は、部屋の位置情報及び窓の配置方角を受け付け、受け付けた部屋の位置情報及び窓の配置方角、並びに、太陽の軌道情報に基づいて、各窓から太陽光が入射するか否かを検出する。そして、表示装置は、受け付けた情報及び検出結果に基づいて、各候補位置に配置した場合に表示部に映り込みが発生する可能性の有無を判定する。よって、太陽の軌道情報に基づいて、各窓からの太陽光の入射状況をシミュレーションした結果に基づいて、表示部に映り込みが発生する可能性が有るか否かを精度良く判定できる。
【００３０】
本発明によれば、表示装置は、１年のうちで、各候補位置について映り込みが発生する可能性が有ると判定された時間を集計し、集計した時間が短い候補位置を報知する。よって、太陽の軌道情報に基づくシミュレーションの結果、１年を通して映り込みが発生する時間が短く、表示装置を配置するのに適した位置を特定して通知できる。
【００３１】
本発明によれば、表示装置は、使用時間帯を受け付け、受け付けた使用時間帯において、映り込みが発生する可能性が有ると判定された時間を集計する。よって、ユーザの使用時間帯がある程度絞り込める場合、ユーザの使用時間帯において映り込みが発生する時間が短く、表示装置を配置するのに適した位置を特定して通知できる。
【００３２】
本発明によれば、表示装置は、自装置が配置される部屋内の配置物の配置位置を含む情報を受け付け、配置物によって光源からの光が反射された反射光が表示面に入射するか否かに基づいて、表示部に映り込みが発生する可能性が有るか否かを判定する。即ち、配置物によって反射された反射光が表示面に入射する場合、表示部に映り込みが発生する可能性が有ると判定し、反射光が表示面に入射しない場合、表示部に映り込みが発生する可能性が無いと判定する。よって、表示面に光源からの光が映り込む可能性のない候補位置であっても、光源からの光が配置物によって反射された反射光が表示面に映り込む可能性がある場合には、表示装置の配置に適した位置から除外できる。
【００３３】
本発明によれば、表示装置は、表示面を基準とする所定領域内に配置物が存在するか否かを判断し、存在すると判断された配置物について、反射光が表示面に入射するか否かを判定する。よって、表示面を基準とした所定領域内にない配置物、即ち、反射光が表示面に映り込む可能性のない配置物については判定処理を行わないことにより、不要な判定処理を行わない。
【００３４】
本発明によれば、表示装置は、自装置が配置される部屋内の配置物の色情報を含む情報を受け付ける。また、表示装置は、複数の色情報のそれぞれについて、映り込みが発生する可能性が有るか否かを予め記憶しており、映り込みが発生する可能性のある色情報の配置物についてのみ、反射光が表示面に入射するか否かを判定する。よって、反射光が表示面に入射する位置に配置物が配置されている場合であっても、この配置物の色によっては、判定処理を行わない。即ち、反射光が表示面に映り込む可能性のない色の配置物については判定処理を行わないことにより、不要な判定処理を行わない。
【００３５】
本発明によれば、表示装置は、複数の配置物のそれぞれについて、映り込みが発生する可能性が有るか否かを予め記憶しており、映り込みが発生する可能性のある配置物についてのみ、反射光が表示面に入射するか否かを判定する。よって、反射光が表示面に入射する位置に配置物が配置されている場合であっても、映り込みが発生する可能性のない配置物であれば判定処理を行わないことにより、不要な判定処理を行わない。例えば、タンス、机、椅子、食器棚等の家具、及び、冷蔵庫、電子レンジ等の家電製品毎に、映り込みが発生する可能性が有るか否かを記憶しておけばよい。
【００３６】
本発明によれば、表示装置は、自装置が配置される部屋に配置される家具及び家電製品による反射光についても、表示部に映り込む可能性が有るか否かを判定できる。よって、光源からの光（自然光及び人工光）だけでなく、光源からの光が室内の家具又は家電製品によって反射された反射光も表示画面に映り込む可能性のない候補位置を、表示装置の配置に適した位置に特定できる。
【００３７】
本発明によれば、上述したように、室内において、表示面への映り込みが発生する可能性がなく、表示装置を配置するのに適した位置を特定して通知する処理を、テレビジョン受信機又はコンピュータにて行うことができる
【発明の効果】
【００３８】
本発明では、１つの室内において、表示画面への映り込みが発生する可能性がなく、表示装置を配置するのに適した位置を特定できるので、このような位置に表示装置を配置することによって、表示装置の使用に適した視聴環境を実現できる。
【図面の簡単な説明】
【００３９】
【図１】本発明に係るテレビジョン受信機の構成例を示す模式図である。
【図２】テレビジョン受信機による設置場所案内処理の手順を示すフローチャートである。
【図３】設置場所案内処理を説明するための説明図である。
【図４】映り込み判定処理の手順を示すフローチャートである。
【図５】映り込み判定処理を説明するための説明図である。
【図６】映り込み判定処理の手順の変形例を示すフローチャートである。
【図７】色情報テーブルの構成例を示す模式図である。
【図８】実施形態２の映り込み判定処理の手順を示すフローチャートである。
【図９】配置物情報テーブルの構成例を示す模式図である。
【図１０】本実施形態３のテレビジョン受信機に接続されたカメラの設置状態を説明するための説明図である。
【図１１】実施形態３のテレビジョン受信機による設置場所案内処理の手順を示すフローチャートである。
【図１２】実施形態４のテレビジョン受信機による設置場所案内処理の手順を示すフローチャートである。
【図１３】実施形態５のＰＣの構成例を示すブロック図である。
【発明を実施するための形態】
【００４０】
以下に、本発明に係る表示装置、テレビジョン受信機及びプログラムについて、その実施形態を示す図面に基づいて詳述する。
【００４１】
（実施形態１）
図１は本発明に係るテレビジョン受信機の構成例を示す模式図である。本実施形態１のテレビジョン受信機１は、制御部１０、ＲＡＭ（Random Access Memory）１１、記憶部１２、操作部１３、リモコン信号受信部１４、チューナ部１５、外部機器接続部１６、デコード部１７及び表示部１８等を備える。
制御部１０は、例えばＣＰＵ（Central Processing Unit ）又はＭＰＵ（Micro Processor Unit）である。制御部１０は、テレビジョン受信機１が備える上述したようなハードウェア各部と接続されており、各部の動作を制御する。
【００４２】
記憶部１２は、ＨＤＤ（Hard Disk Drive ）又はフラッシュメモリ等の記憶装置であり、制御部１０が実行する制御プログラム及び各種データを予め記憶している。制御部１０は、記憶部１２に格納されている制御プログラムを順次ＲＡＭ１１に読み出して実行することにより、テレビジョン受信機１を、本発明に係る表示装置及びテレビジョン受信機として動作させる。また記憶部１２は、配置ガイドプログラム１２ａを記憶する。
ＲＡＭ１１は、ＳＲＡＭ（Static ＲＡＭ）、ＤＲＡＭ（Dynamic ＲＡＭ）、フラッシュメモリ等である。ＲＡＭ１１は、制御部１０による制御プログラムの実行時に発生する種々のデータを一時的に記憶する。
【００４３】
操作部１３は、ユーザがテレビジョン受信機１を操作するために必要な各種の操作キーを備え、ユーザが操作した操作キーに基づく情報を受け付け、受け付けた情報を制御部１０へ送出する。制御部１０は、操作部１３から取得した情報に応じてテレビジョン受信機１の各部の動作を制御する。
リモコン信号受信部１４は、テレビジョン受信機１を遠隔から操作するためのリモートコントロール装置（以下、リモコンという）から送信されてくるリモコン信号を受信する。リモコン信号受信部１４は、受信したリモコン信号を制御部１０へ送出し、制御部１０は、リモコン信号を解析し、リモコン信号に応じてテレビジョン受信機１の各部の動作を制御する。リモコン信号受信部１４は、リモコンとの間で、赤外線を利用したＩｒＤＡ（Infrared Data Association）、無線ＬＡＮ、Bluetooth等の無線通信を行う。
【００４４】
チューナ部１５は、テレビジョン放送の放送信号を受信する受信部である。
外部機器接続部１６は、ＢＤ（Blu-ray Disc）レコーダ、ハードディスクレコーダ、デジタルスチルカメラ、デジタルビデオカメラ、ゲーム機、ＰＣ（Personal Computer）、携帯端末機等の外部機器との接続が可能である。
表示部１８は、例えば液晶ディスプレイ、プラズマディスプレイ又は有機ＥＬディスプレイ等であり、制御部１０からの指示に従って各種の情報を表示する。
【００４５】
チューナ部１５が受信した放送信号又は外部機器接続部１６が外部機器から取得した信号（映像信号）は、デコード部１７にて映像データにデコードされて表示部１８へ出力される。よって、表示部１８は、テレビジョン放送に基づく映像、外部機器に記憶されている映像信号又は映像データに基づく映像を表示する。なお、外部機器からデコード後のデータ（映像データ）が送信されてくる場合、外部機器接続部１６は、外部機器から取得したデータをそのまま表示部１８へ出力すればよい。
【００４６】
本発明の表示装置及びテレビジョン受信機は、上述した構成のほかに、通信機能を有していてもよい。例えば、インターネット等のネットワークに接続するためのインタフェース、ZigBee、Bluetooth（登録商標）、無線ＬＡＮ（Local Area Network）等の近距離無線通信を行うためのインタフェースをテレビジョン受信機１に搭載してもよい。
【００４７】
本実施形態１のテレビジョン受信機１は、テレビジョン受信機１が設置（配置）される部屋の内部において、テレビジョン受信機１を設置するのに最適な場所をユーザ（視聴者）に案内する設置場所案内機能を有する。具体的には、制御部１０が、記憶部１２に記憶してある配置ガイドプログラム１２ａを実行することにより、テレビジョン受信機１を設置するのに最適な場所をユーザに通知する。なお、本実施形態１では、この設置場所案内機能を、制御部１０が配置ガイドプログラム１２ａを実行することによって実現されるソフトウェア機能として説明するが、専用のハードウェア回路によって実現してもよい。
【００４８】
以下に、テレビジョン受信機１の設置場所案内機能について説明する。図２はテレビジョン受信機１による設置場所案内処理の手順を示すフローチャート、図３は設置場所案内処理を説明するための説明図である。なお、図３には、テレビジョン受信機１が設置される予定の部屋の内部を天井側から見た図を示す。
テレビジョン受信機１が有する設置場所案内機能を利用したいユーザは、操作部１３又はリモコンを操作し、設置場所案内機能の実行を指示する。テレビジョン受信機１の制御部１０は、操作部１３又はリモコンにて設置場所案内機能の実行を指示された場合、記憶部１２に記憶してある配置ガイドプログラム１２ａをＲＡＭ１１に読み出して実行し、以下の処理を行う。
【００４９】
まず、テレビジョン受信機１の制御部１０は、テレビジョン受信機１が設置される予定の部屋の内部についての情報（以下、視聴環境情報という）を受け付けるための受付画面を表示部１８に表示する（Ｓ１）。視聴環境情報は、例えば、部屋の大きさ及び形状、窓及び出入口の位置及び大きさ、室内に取り付けられた照明器具の取付位置（配置位置）及び大きさ、室内に配置される家具及び家電製品等の配置物の配置位置及び大きさ、室内の壁に取り付けられた（貼り付けられた）絵画及びポスター等の取付位置及び大きさ等の情報である。視聴環境情報の受付画面は、ユーザが操作部１３又はリモコンを操作することで、これらの情報を入力できるように構成されている。また、視聴環境情報の受付画面は、入力完了を指示するためのＯＫボタン及び処理の終了（キャンセル）を指示するためのキャンセルボタンを有する。よって、ユーザは、操作部１３又はリモコンを操作し、視聴環境情報の各情報を入力した後、ＯＫボタンを操作する。
【００５０】
ユーザがＯＫボタンを操作した場合、制御部１０は、受付画面を介してユーザによって入力された視聴環境情報を操作部（受付部）１３を介して受け付ける（Ｓ２）。
図３Ａは視聴環境情報の例を説明するための図であり、以下では、図３Ａに示すような視聴環境情報を受け付けた場合の処理について説明する。なお、ここでは、制御部１０は、部屋の大きさ及び形状、窓及び出入口の位置及び大きさ、配置物としてタンスの位置及び大きさを視聴環境情報として受け付ける。
【００５１】
次に制御部（特定部）１０は、受け付けた視聴環境情報に基づいて、この部屋の中でテレビジョン受信機１の配置が可能な場所（位置）を候補位置として特定する（Ｓ３）。
図３Ｂは候補位置の例を説明するための図であり、破線で示す四角のそれぞれが候補位置を示している。なお、各候補位置において、テレビジョン受信機１は表示画面が部屋の内側を向く方向に配置される。
【００５２】
テレビジョン受信機１の表示部１８の表示画面の大きさは予め記憶部１２に記憶されており、制御部１０は、表示画面の大きさを考慮し、テレビジョン受信機１を配置できる場所を特定する。ここでは、例えば、部屋の壁（壁面）、窓及び配置物に沿った場所（領域）、部屋の隅についてはテレビジョン受信機１を斜めに配置するような領域が候補位置として特定されている。なお、制御部１０は、出入口に沿った場所は候補位置から除外する。また、本発明では、部屋の高さ方向における窓、絵画及びポスター等の位置及び大きさ、たんす等の引き出し方向、戸棚等の扉の開閉方向については考慮せずに候補位置を特定する。
【００５３】
制御部１０は、表示画面の大きさではなく、テレビジョン受信機１自体の大きさを記憶部１２に記憶しておき、テレビジョン受信機１自体の大きさに基づいて、テレビジョン受信機１の配置可能な場所を候補位置に特定してもよい。
また、制御部１０は、操作部１３を介してユーザの設置希望条件を受け付け、受け付けた設置希望条件に沿った候補位置を特定するようにしてもよい。この場合、例えば、壁（又は配置物等）から所定間隔（例えば２０ｃｍ）だけ離して設置したい、窓に沿った場所には設置したくない、室内のいずれかの領域内に設置したい、部屋のいずれかの隅に設置したい等、ユーザの希望に沿った位置を提案できる。
【００５４】
次に制御部（判定部）１０は、ステップＳ３で特定した候補位置のそれぞれについて、それぞれの候補位置にテレビジョン受信機１を設置した場合に表示部１８に映り込みが発生する可能性が有るか否かを判定する映り込み判定処理を行う（Ｓ４）。
図４は映り込み判定処理の手順を示すフローチャート、図５は映り込み判定処理を説明するための説明図である。
【００５５】
制御部１０は、ステップＳ３で特定した候補位置のうちの１つを選択する（Ｓ１１）。そして、制御部１０は、選択した候補位置について、この候補位置にテレビジョン受信機１を設置した場合に、表示部１８の表示画面を基準とする所定領域内に光源があるか否かを判断する（Ｓ１２）。表示画面を基準とする所定領域とは、例えば、矩形の表示画面の周縁の４辺のそれぞれにおいて、表示画面と鈍角に（例えば、１２０°）交差する４つの面によって囲まれる領域であり、例えば、図５に斜線で示した領域である。なお、図５には、設置されたテレビジョン受信機１を上から見た図を示す。また、光源とは、窓及び照明器具である。
【００５６】
光源があると判断した場合（Ｓ１２：ＹＥＳ）、制御部１０は、表示部１８に映り込みが発生する可能性が有るとして、ステップＳ１１で選択した候補位置を、候補位置から除外する（Ｓ１３）。表示画面を基準とする所定領域内に光源がある場合、即ち、表示画面が光源に対向している場合、窓から差し込む自然光及び照明器具から発せられる人工光が表示画面に映り込む可能性がある。よって、このような位置を候補位置から除外することにより、光源からの光が表示画面に映り込む可能性の少ない位置を特定できる。図３Ｂに示した候補位置においては、制御部１０は、例えば、Ｐ１で示す４つの位置を候補位置から除外する。
【００５７】
光源がないと判断した場合（Ｓ１２：ＮＯ）、制御部（判断部）１０は、表示部１８の表示画面を基準とする所定領域内に配置物があるか否かを判断する（Ｓ１４）。なお、配置とは、家具、家電製品、絵画及びポスター等である。
配置物があると判断した場合（Ｓ１４：ＹＥＳ）、制御部１０は、この配置物によって光源からの光が反射された反射光が表示画面に入射するか否かを判定する（Ｓ１５）。制御部１０は、例えば、光源からの光が配置物にて反射された反射光が表示部１８の表示画面に入射する角度が、所定角度（例えば４５°）以上である場合に、反射光が表示画面に入射すると判定する。
【００５８】
反射光が表示画面に入射すると判定した場合（Ｓ１５：ＹＥＳ）、制御部１０は、ステップＳ１１で選択した候補位置を、候補位置から除外する（Ｓ１３）。表示画面を基準とする所定領域内に配置物があり、この配置物によって反射された反射光が表示画面に入射する場合、この反射光が表示画面に映り込む可能性がある。よって、このような位置を候補位置から除外することにより、配置物による反射光が映り込む可能性の少ない位置を特定できる。図３Ｂに示した候補位置においては、制御部１０は、例えば、Ｐ２で示す５つの位置を候補位置から除外する。
【００５９】
ステップＳ１３の処理後、ステップＳ１４で配置物がないと判断した場合（Ｓ１４：ＮＯ）、又はステップＳ１５で反射光が表示画面に入射しないと判定した場合（Ｓ１５：ＮＯ）、制御部１０は、ステップＳ３で特定した全ての候補位置に対する処理を終了したか否かを判断する（Ｓ１６）。全ての候補位置に対する処理を終了していないと判断した場合（Ｓ１６：ＮＯ）、制御部１０は、ステップＳ１１に処理を戻す。そして、制御部１０は、ステップＳ３で特定した候補位置から、未処理の候補位置を１つ選択し（Ｓ１１）、ステップＳ１２〜Ｓ１６の処理を繰り返す。全ての候補位置に対する処理を終了したと判断した場合（Ｓ１６：ＹＥＳ）、制御部１０は、ステップＳ３で特定された候補位置のうちで、ステップＳ１３で除外されなかった候補位置を特定し（Ｓ１７）、図２に示す処理に戻る。
【００６０】
制御部１０は、映り込み判定処理によって特定した候補位置を表示部１８に表示し、テレビジョン受信機１を設置した場合に表示画面への光の映り込みが発生する可能性のない候補位置をユーザに通知し（Ｓ５）、処理を終了する。図３Ｃは、候補位置をユーザに通知するための通知画面であり、映り込み判定処理によって除外されなかった候補位置を表示すると共に、表示した候補位置にテレビジョン受信機１を設置することを推奨する。
【００６１】
上述の処理により、テレビジョン受信機１を設置する前に、テレビジョン受信機１を設置する部屋の視聴環境において、映り込みが発生する可能性がなく、テレビジョン受信機１の配置に適した位置をユーザに提案することができる。よって、ユーザは、提案された候補位置から所望の位置を選択し、選択した位置にテレビジョン受信機１を設置することにより、映像の視認性が良好な視聴環境を実現できる。なお、本実施形態１では、視聴環境情報に基づいて候補位置を特定する際に、窓、家具、家電製品、絵画及びポスター等の、部屋の高さ方向の配置位置については考慮せずに候補位置を特定していた。また、タンス及び引き出し等の引き出し方向、戸棚等の扉の開閉方向についても考慮していない。従って、ユーザは、推奨された候補位置から、テレビジョン受信機１を配置するのに最適な位置を決定すればよい。また、高さ方向の配置位置も考慮して候補位置を特定するようにしてもよい。
【００６２】
本実施形態１の映り込み判定処理は、図４に示すように、視聴環境情報に基づいて特定された各候補位置について、映り込みが発生する可能性が有るか否かを判定する処理であった。このほかに、例えば、ユーザから受け付けた光源の位置に基づいて、各光源について、いずれかの候補位置に映り込みが発生する可能性が有るか否かを判定するようにしてもよい。図６は映り込み判定処理の手順の変形例を示すフローチャートである。
【００６３】
テレビジョン受信機１の制御部１０は、図２中のステップＳ２で受け付けた視聴環境情報から、１つの光源を選択し（Ｓ２１）、図２中のステップＳ３で特定した候補位置のうちの１つを選択する（Ｓ２２）。そして、制御部１０は、ステップＳ２２で選択した候補位置にテレビジョン受信機１を設置した場合に、ステップＳ２１で選択した光源からの光が表示部１８の表示画面に入射するか否かを判断する（Ｓ２３）。制御部１０は、例えば、光源からの光が表示部１８の表示画面に入射する角度が、所定角度（例えば４５°）以上である場合に、光が入射すると判定する。
【００６４】
光源からの光が表示画面に入射すると判断した場合（Ｓ２３：ＹＥＳ）、制御部１０は、ステップＳ２２で選択した候補位置を、候補位置から除外する（Ｓ２４）。光源から見た場合に、光源からの光が入射する位置に表示画面がある場合、窓から差し込む自然光及び照明器具から発せられる人工光が表示画面に映り込む可能性がある。よって、このような位置を候補位置から除外する。
【００６５】
光源からの光が表示画面に入射しないと判断した場合（Ｓ２３：ＮＯ）、制御部１０は、ステップＳ２１で選択した光源からの光が、いずれかの配置物に入射するか否かを判断する（Ｓ２５）。いずれかの配置物に入射すると判断した場合（Ｓ２５：ＹＥＳ）、制御部１０は、配置物に入射する光源からの光が、配置物によって反射された反射光が、表示部１８の表示画面に入射するか否かを判定する（Ｓ２６）。反射光が表示画面に入射すると判定した場合（Ｓ２６：ＹＥＳ）、制御部１０は、ステップＳ２２で選択した候補位置を、候補位置から除外する（Ｓ２４）。光源から見た場合に、光源からの光が配置物によって反射された反射光が入射する位置に表示画面がある場合、この反射光が表示画面に映り込む可能性がある。よって、このような位置を候補位置から除外する。
【００６６】
ステップＳ２４の処理後、ステップＳ２５で配置物に入射しないと判断した場合（Ｓ２５：ＮＯ）、又はステップＳ２６で反射光が表示画面に入射しないと判定した場合（Ｓ２６：ＮＯ）、制御部１０は、全ての候補位置が選択されたか否かを判断する（Ｓ２７）。全ての候補位置が選択されていないと判断した場合（Ｓ２７：ＮＯ）、制御部１０は、ステップＳ２２に処理を戻す。そして、制御部１０は、図２中のステップＳ３で特定した候補位置から、未処理の候補位置を１つ選択し（Ｓ２２）、ステップＳ２３〜Ｓ２７の処理を繰り返す。
【００６７】
全ての候補位置を選択したと判断した場合（Ｓ２７：ＹＥＳ）、制御部１０は、図２中のステップＳ２で受け付けた視聴環境情報から、全ての光源を選択したか否かを判断する（Ｓ２８）。全ての光源が選択されていないと判断した場合（Ｓ２８：ＮＯ）、制御部１０は、ステップＳ２１に処理を戻し、図２中のステップＳ２で受け付けた視聴環境情報から、未処理の光源を選択し（Ｓ２１）、ステップＳ２２〜Ｓ２８の処理を繰り返す。
【００６８】
全ての光源を選択したと判断した場合、（Ｓ２８：ＹＥＳ）、制御部１０は、図２中のステップＳ３で特定された候補位置のうちで、ステップＳ２４で除外されなかった候補位置を特定し（Ｓ２９）、図２に示す処理に戻る。
上述した映り込み判定処理によっても、テレビジョン受信機１を設置する部屋の視聴環境において、映り込みが発生する可能性がなく、テレビジョン受信機１の配置に適した位置を特定することができる。
【００６９】
（実施形態２）
上述の実施形態１のテレビジョン受信機１は、表示部１８の表示画面を基準とする所定領域内に光源がない場合であっても、同様の所定領域内に配置物があり、この配置物による反射光が表示画面に入射する状況であれば、表示画面に映り込みが発生する可能性があると判定する構成であった。
これに対して、本実施形態２のテレビジョン受信機１は、表示部１８の表示画面を基準とする所定領域内に配置物がある場合、この配置物の色によって、配置物による反射光が表示画面に入射するか否かの判定を行うか否かを切り替える。即ち、表示画面を基準とする所定領域内に配置物がある場合でも、配置物の色が、光を反射させない色であれば、反射光が表示画面に入射するか否かの判定を行わないことにより、不要な判定処理を削減できる。
【００７０】
従って、本実施形態２のテレビジョン受信機１において、ユーザは、視聴環境情報として、上述の実施形態１で示した情報のほかに、家具、家電製品、絵画及びポスター等の配置物について、それぞれの表面の色を入力する。よって、テレビジョン受信機１の制御部１０は、図２中のステップＳ２において、家具、家電製品、絵画及びポスター等の配置物のそれぞれの表面の色の情報も視聴環境情報として受け付ける。なお、視聴環境情報の受付画面において、配置物の色情報の入力欄は、ユーザが操作部１３又はリモコンを操作することで直接色情報を入力できるように構成されていてもよいし、複数の色から選択できるように構成されていてもよい。
【００７１】
また、本実施形態２のテレビジョン受信機１は、記憶部（色情報記憶部）１２に、色情報テーブルを予め記憶している。図７は色情報テーブルの構成例を示す模式図である。色情報テーブルには、家具及び家電製品等の配置物の表示面に使用される色の情報のそれぞれに対応付けて、映り込み判定処理を実行するか否かを示す処理設定が記憶してある。室内に配置される家具、家電製品、絵画及びポスター等は、表面の色によって光を反射する場合と反射しない場合とがある。よって、光を反射しない色に対しては、反射光によって映り込みが発生する可能性が有るか否かを判定する必要がないので、映り込み判定処理を実行しないことを示す処理設定を格納しておく。色情報テーブルの格納内容は予め決定されており、色情報テーブルは、テレビジョン受信機１の組立時に記憶部１２に格納される。
【００７２】
このような色情報テーブルを用いることにより、表示部１８の表示画面を基準とする所定領域内に配置物がある場合に、制御部１０は、配置物の色に基づいて、映り込み判定処理を行うか否か（継続するか否か）を判断できる。よって、表示画面を基準とする所定領域内に配置物があった場合でも、その配置物が光を反射させない色である場合には、映り込み判定処理を行わないことにより、不要な判定処理を削減できる。
【００７３】
図８は実施形態２の映り込み判定処理の手順を示すフローチャートである。本実施形態２のテレビジョン受信機１において、制御部１０は、ステップＳ３１〜Ｓ３４において、図４中のステップＳ１１〜Ｓ１４と同様の処理を行う。そして、制御部１０は、ステップＳ３４で表示部１８の表示画面を基準とする所定領域内に配置物があると判断した場合（Ｓ３４：ＹＥＳ）、図２中のステップＳ２で取得した視聴環境情報に基づいて、この配置物の表面の色を特定する。制御部１０は、記憶部１２に格納してある色情報テーブルと、特定した色とに基づいて、映り込み判定処理を実行すべきか否かを判断する（Ｓ３５）。具体的には、色情報テーブルにおいて、特定した色に対応する処理設定に「実行する」が格納されている場合、制御部１０は、映り込み判定処理を実行すると判断し、「実行しない」が格納されている場合、映り込み判定処理を実行しないと判断する。
【００７４】
映り込み判定処理を実行すると判断した場合（Ｓ３５：ＹＥＳ）、制御部１０は、ステップＳ３６に処理を移行し、図４中のステップＳ１５と同様の処理を行う。一方、映り込み判定処理を実行しないと判断した場合（Ｓ３５：ＮＯ）、制御部１０は、ステップＳ３７に処理を移行し、図４中のステップＳ１６と同様の処理を行う。なお、その他の処理は、図４に示した処理と同様であるので説明を省略する。
このような処理により、表示部１８の表示画面を基準とする所定領域内に配置物があった場合でも、その配置物による反射光によって表示画面に映り込みが発生する可能性が少ない場合には、映り込み判定処理を行わないことにより、処理効率が向上する。
【００７５】
本実施形態２の色情報テーブルには、各色情報に対応して、映り込み判定処理を実行するか否かを示す処理設定が記憶されていた。このほかに、各色情報に対応して、映り込みが発生する可能性が有るか否かを示す情報を記憶した色情報テーブルを用いてもよい。この場合、制御部１０は、色情報テーブルにおいて、配置物の色に対応して「映り込みが発生する」が記憶されている場合に、映り込み判定処理を実行し、「映り込みが発生しない」が記憶されている場合に、映り込み判定処理を実行しないようにすればよい。
【００７６】
上述の実施形態２のテレビジョン受信機１は、配置物の表面の色によって、映り込み判定処理を行うか否かを切り替える構成であった。このほかに、例えば、配置物の種類によって、映り込み判定処理を行うか否かを切り替えるようにしてもよい。この場合、例えば、記憶部（配置物情報記憶部）１２に、図９に示すような配置物情報テーブルを記憶しておく。図９は配置物情報テーブルの構成例を示す模式図である。配置物情報テーブルには、家具及び家電製品等の配置物（配置物の種類）のそれぞれに対応付けて、映り込み判定処理を実行するか否かを示す処理設定が記憶してある。室内に配置される家具、家電製品、絵画及びポスター等は、その表面に使用される材質や色等がある程度予測できるので、光を反射しないと予測される配置物に対しては、映り込み判定処理を実行しないことを示す処理設定を格納しておけばよい。
【００７７】
このような配置物情報テーブルを用いる場合、制御部１０は、表示部１８の表示画面を基準とする所定領域内に配置物があると判断したときに、この配置物の種類と、配置物情報テーブルとに基づいて、映り込み判定処理を実行すべきか否かを判断すればよい。これにより、表示画面を基準とする所定領域内に配置物があった場合でも、その配置物に対して映り込み判定処理を実行しないことが設定されている場合には、映り込み判定処理を行わないことにより、不要な判定処理を削減できる。
【００７８】
また、配置物の表面に使用されている材質によって、映り込み判定処理を行うか否かを切り替えるようにしてもよい。この場合、ユーザは、視聴環境情報として、配置物の色の情報の代わりに、配置物の表面の材質を入力する。そして、テレビジョン受信機１の記憶部１２には、家具及び家電製品等の配置物の表示面に使用される材質の情報のそれぞれに、映り込み判定処理を実行するか否かを示す処理設定が対応付けて記憶してあるテーブルを格納しておく。家具、家電製品、絵画及びポスター等は、その表面に使用される材質によって光を反射する場合と反射しない場合とがある。よって、光を反射しない材質に対しては、映り込み判定処理を実行しないことを示す処理設定を格納しておけばよい。
【００７９】
このようなテーブルを用いる場合、制御部１０は、表示部１８の表示画面を基準とする所定領域内に配置物があると判断したときに、この配置物の材質を、ユーザによって入力された視聴環境情報から特定し、特定した材質及びテーブルに基づいて、映り込み判定処理を実行すべきか否かを判断すればよい。これにより、表示画面を基準とする所定領域内に配置物があった場合でも、その配置物が光を反射させない材質である場合には、映り込み判定処理を行わないことにより、不要な判定処理を削減できる。
【００８０】
（実施形態３）
以下に、実施形態３に係るテレビジョン受信機について説明する。本実施形態３のテレビジョン受信機は、上述の実施形態１のテレビジョン受信機１と同様の構成を有するので、同様の構成については同一の符号を付して説明を省略する。
【００８１】
上述の実施形態１，２のテレビジョン受信機１は、部屋の窓を光源の１つとして映り込み判定処理を行う構成であった。これに対して、本実施形態３のテレビジョン受信機１は、テレビジョン受信機１が設置される部屋の内部をカメラ（撮像部）１９にて撮影して取得した画像データに基づいて、光源（所定の輝度よりも高い輝度の領域）を特定する構成である。
【００８２】
図１０は本実施形態３のテレビジョン受信機１に接続されたカメラ１９の設置状態を説明するための説明図である。図１０Ａはカメラ１９の設置状態を示し、図１０Ｂはカメラ１９で取得された撮影画像の例を示す。また、図１０Ａには、テレビジョン受信機１が設置される予定の部屋の内部を天井側から見た図を示す。
図１０Ａに示す状態では、１つの出入口及び２つの窓を有する部屋において、一隅にタンスが設置してあり、対向する一隅の領域Ｐにテレビジョン受信機１が設定され、例えば、テレビジョン受信機１の上部にカメラ１９が設置されている。カメラ１９は、図１０Ａ中の矢符で示す方向を撮影（撮像）方向として設置されている。このようなカメラ１９にて取得された画像には、図１０Ｂに示すように、２つの窓及びタンスが含まれる。また、図１０Ｂに示す状態は、窓１から自然光が差し込むと共に、窓２から、近隣のビルにて反射した自然光が差し込んでいる状態を示す。
【００８３】
本実施形態３のテレビジョン受信機１は、設置場所案内機能を実行する場合、映り込み判定処理を行う前に、カメラ１９で撮影して得られた画像データに基づいて、光源（窓から差し込む自然光）の位置を検出する。また、本実施形態３のテレビジョン受信機１において、ユーザは、視聴環境情報として、上述の実施形態１で示した情報のほかに、カメラ１９の設置場所及び設置方向（撮影方向）を入力する。
【００８４】
以下に、本実施形態３のテレビジョン受信機１による設置場所案内処理について説明する。なお、本実施形態３のテレビジョン受信機１は、図２に示した処理と同様の処理を行うので、同様の処理については説明を省略し、異なる処理についてのみ説明する。
【００８５】
図１１は実施形態３のテレビジョン受信機１による設置場所案内処理の手順を示すフローチャートである。なお、上述の実施形態１のテレビジョン受信機１が行う処理（図２に示した処理）と同様の処理については、同一のステップ番号を付して説明を省略する。
本実施形態３のテレビジョン受信機１において、制御部１０は、上述の実施形態１のテレビジョン受信機１の制御部１０と同様に、ステップＳ１〜Ｓ３の処理を行う。なお、本実施形態３のテレビジョン受信機１の制御部１０は、ステップＳ２において、カメラ１９の設置場所及び設置方向（撮影方向）も、ユーザによって入力された視聴環境情報として受け付ける。
【００８６】
本実施形態３のテレビジョン受信機１において、制御部１０は、カメラ１９による撮影処理を行い、画像データを取得する（Ｓ４１）。制御部１０は、取得した画像データに基づく画像中に、輝度が所定値以上の箇所があるか否かを判断する（Ｓ４２）。所定値は、自然光（太陽光）の光量（明るさ）に基づく輝度であるか否かを判断できる値であればよい。このような所定値を用いることにより、画像中に太陽光があるか否かを判断できる。
輝度が所定値以上の箇所があると判断した場合（Ｓ４２：ＹＥＳ）、制御部（光源検出部）１０は、この箇所を光源の位置に特定し（Ｓ４３）、輝度が所定値以上の箇所がないと判断した場合（Ｓ４２：ＮＯ）、光源なしと判断する（Ｓ４４）。なお、制御部１０は、視聴環境情報として、窓の位置及び大きさ、並びにカメラ１９の設置場所及び撮影方向を受け付けているので、カメラ１９にて取得した画像データに基づく画像において、窓の位置を特定できる。よって、制御部１０は、画像中に輝度が所定値以上である箇所があるか否かを判断する際に、まず画像中の窓の位置を特定し、特定した窓の領域内に、輝度が所定値以上である箇所があるか否かを判断してもよい。
【００８７】
その後、制御部１０は、ステップＳ４３で特定した光源位置を用いて、ステップＳ４以降の処理を行う。
本実施形態３においても、ステップＳ４で、図４に示した映り込み判定処理を行う。しかし、本実施形態３では、図４中のステップＳ１２において、各候補位置に設置したテレビジョン受信機１の表示部１８の表示画面を基準とする所定領域内に光源があるか否かを判断する際の光源が、上述の実施形態１とは異なる。本実施形態３での光源は、ステップＳ４３で特定した光源、即ち、窓から差し込む自然光と、照明器具とである。なお、本実施形態３におけるステップＳ４（図１１中のステップＳ４）では、図６に示した映り込み判定処理又は図８に示した映り込み判定処理を行ってもよい。
【００８８】
本実施形態３のテレビジョン受信機１において、ユーザは、上述した処理を、例えばテレビジョン受信機１を普段使用（視聴）する時間帯に行う。これにより、テレビジョン受信機１を普段使用する時間帯における自然光の影響を考慮し、テレビジョン受信機１の配置に適した位置をユーザに提案することができる。また、部屋に窓がある場合であっても、窓の外に建物がある場合や窓から太陽光が入射しない状況であれば、この窓を光源としないので、テレビジョン受信機１の配置に適した候補位置が増える。よって、テレビジョン受信機１の配置の自由度を高めることができる。
【００８９】
（実施形態４）
以下に、実施形態４に係るテレビジョン受信機について説明する。本実施形態４のテレビジョン受信機は、上述の実施形態１のテレビジョン受信機１と同様の構成を有するので、同様の構成については同一の符号を付して説明を省略する。
【００９０】
上述の実施形態１，２のテレビジョン受信機１は、窓を光源の１つとして映り込み判定処理を行う構成であった。また上述の実施形態３のテレビジョン受信機１は、カメラ１９にて室内を撮影して得られた画像データに基づいて、光源（窓から差し込む自然光）を特定する構成であった。これに対して、本実施形態４のテレビジョン受信機１は、予め用意された太陽の軌道情報と、テレビジョン受信機１が設置される部屋の位置情報及び窓の配置方向（方角）とに基づいて、窓から太陽光が差し込むか否かをシミュレーションする。そして、本実施形態４のテレビジョン受信機１は、シミュレーション結果に基づいて映り込み判定処理を行い、１年間（３６５日）において、映り込みが発生する可能性があると判定される総時間が最も短い（少ない）候補位置を特定する構成である。
【００９１】
従って、本実施形態４のテレビジョン受信機１は、太陽の軌道情報を記憶部（起動情報記憶部）１２に予め記憶しており、ユーザは視聴環境情報として、テレビジョン受信機１が設置される部屋の位置情報（場所の情報）、及び窓の配置方向（方角）を入力する。なお、太陽の軌道情報は、配置ガイドプログラム１２ａの一部として記憶部１２に記憶されていてもよい。また、部屋の位置情報は、例えばＧＰＳ情報（経度情報、緯度情報）であり、窓の配置方向は、例えば窓が対向する方角である。
【００９２】
以下に、本実施形態４のテレビジョン受信機１による設置場所案内処理について説明する。なお、本実施形態４のテレビジョン受信機１は、図２に示した処理と同様の処理を行うので、同様の処理については説明を省略し、異なる処理についてのみ説明する。
【００９３】
図１２は実施形態４のテレビジョン受信機１による設置場所案内処理の手順を示すフローチャートである。なお、実施形態１のテレビジョン受信機１が行う処理（図２に示した処理）と同様の処理については、同一のステップ番号を付して説明を省略する。また、図１２においては、ステップＳ１，Ｓ２の図示を省略する。
本実施形態４のテレビジョン受信機１において、制御部１０は、上述の実施形態１のテレビジョン受信機１の制御部１０と同様に、ステップＳ１〜Ｓ３の処理を行う。なお、本実施形態４のテレビジョン受信機１の制御部１０は、ステップＳ２において、部屋の位置情報（経度情報、緯度情報）及び窓の配置方向（方角）も、ユーザによって入力された視聴環境情報として受け付ける。
【００９４】
本実施形態４のテレビジョン受信機１において、制御部１０は、処理日時として所定の日時を特定する（Ｓ５１）。所定の日時は、例えば、１月１日０時０分であり、１年間のうちのいつでもよい。制御部１０は、記憶部１２に記憶してある太陽の軌道情報と、視聴環境情報として受け付けた部屋の位置情報とに基づいて、特定した日時における太陽の位置を特定する（Ｓ５２）。次に制御部（入射検出部）１０は、特定した太陽の位置と、視聴環境情報として受け付けた窓の方角とに基づいて、窓から室内に太陽光が差し込むか否かの状態を特定する（Ｓ５３）。
【００９５】
そして、制御部１０は、ステップＳ５３で特定した太陽光の状態を用いて、図４に示す映り込み判定処理を行う（Ｓ４）。なお、本実施形態４では、図４中のステップＳ１２において、各候補位置に設置したテレビジョン受信機１の表示部１８の表示画面を基準とする所定領域内に光源があるか否かを判断する際の光源が、上述の実施形態１，２とは異なる。本実施形態４での光源は、ステップＳ５２で窓から室内に差し込むと特定された太陽光と、照明器具とである。なお、本実施形態４におけるステップＳ４でも、図６に示した映り込み判定処理又は図８に示した映り込み判定処理を行ってもよい。
【００９６】
制御部（算出部）１０は、映り込み判定処理の結果に基づいて、ステップＳ３で特定した各候補位置において、映り込みが発生する可能性があると判定された時間（以下、映り込み発生時間という）を算出する（Ｓ５４）。制御部１０は、算出した映り込み発生時間を、各候補位置に対応付けてＲＡＭ１１又は記憶部１２に記憶する。
ここでは、制御部１０は、映り込みが発生する可能性があると判定された候補位置に対する映り込み発生時間に、所定時間を加算する。なお、制御部１０は、映り込み判定処理によって、映り込みが発生する可能性のない候補位置を特定しているので、映り込み判定処理によって特定した候補位置以外の候補位置に対する映り込み発生時間に、所定時間を加算する。所定時間は、映り込み判定処理を行う時間間隔であり、例えば、３０分、１時間等である。本実施形態４では、映り込みが発生する可能性があると判定された場合、次の判定処理までの間、映り込みが発生しているものとするので、映り込みが発生する可能性があると判定された候補位置について、映り込み発生時間に所定時間（処理の実行間隔の時間）を加算していく。
【００９７】
制御部１０は、処理日時に所定時間（処理の実行間隔の時間）を加算し（Ｓ５５）、算出した処理日時に基づいて、１年間について上述した処理を行ったか否かを判断する（Ｓ５６）。具体的には、制御部１０は、算出した処理日時が、ステップＳ５１で特定した処理日時に一致する場合、１年間について上述した処理を行ったと判断する。
１年間についての処理を終了していないと判断した場合（Ｓ５６：ＮＯ）、制御部１０は、ステップＳ５２に処理を移行し、算出した処理日時について、ステップＳ５２〜Ｓ５４の処理を繰り返す。
【００９８】
１年間についての処理を終了したと判断した場合（Ｓ５６：ＹＥＳ）、制御部１０は、ステップＳ５４で随時加算した各候補位置の映り込み発生時間のうちで、映り込み発生時間が最少の候補位置を特定する（Ｓ５７）。そして、制御部１０は、特定した候補位置を表示部１８に表示し、テレビジョン受信機１を設置した場合に表示画面への光の映り込みが発生する可能性の少ない候補位置をユーザに通知し（Ｓ５）、処理を終了する。
【００９９】
本実施形態４のテレビジョン受信機１では、窓から室内に太陽光が差し込むか否かをシミュレーションすることにより、１年間において、映り込みが発生する可能性がある時間の合計を予測できる。よって、１年間における映り込み発生時間が最も短い候補位置をユーザに提案することができる。また、部屋に窓がある場合であっても、窓から太陽光が入射しない状況であれば、この窓を光源としないので、テレビジョン受信機１の配置に適した候補位置が増える。よって、テレビジョン受信機１の配置の自由度を高めることができる。
【０１００】
上述した処理では、映り込み発生時間が最も短い候補位置をユーザに通知する構成であるが、各候補位置の映り込み発生時間を通知するようにしてもよい。これにより、ユーザは、各候補位置と、各候補位置の映り込み発生時間とを知ることができ、自身に最適なテレビジョン受信機１の設置位置を決定できる。
【０１０１】
また、本実施形態４において、ユーザが普段テレビジョン受信機１を使用（視聴）する時間帯における映り込み発生時間に基づいて、テレビジョン受信機１の配置に適した位置を特定するようにしてもよい。具体的には、テレビジョン受信機１の制御部（使用時間帯受付部）１０は、ユーザが普段テレビジョン受信機１を使用（視聴）する時間帯を受け付ける。そして、１年間の各日において、ユーザによって指定された時間帯（ユーザが普段テレビジョン受信機１を使用する時間帯）についてのみ、窓から室内に太陽光が差し込むか否かをシミュレーションし、映り込みが発生する可能性がある総時間を算出する。また制御部１０は、算出した各候補位置の映り込み発生時間のうちで、映り込み発生時間が最少の候補位置を特定してユーザに通知する。なお、このときも、各候補位置の映り込み発生時間をユーザに通知してもよい。よって、ユーザが使用しない時間帯には映り込みが発生する位置であっても、ユーザが使用する時間帯には映り込みが発生しない位置を、最適な配置位置としてユーザに提案できる。
【０１０２】
（実施形態５）
上述の実施形態１〜４では、テレビジョン受信機１が設置場所案内機能を備え、テレビジョン受信機１が、自装置を設置するのに最適な場所をユーザに提案する構成であった。本実施形態５は、本発明に係るプログラムをパーソナルコンピュータ（以下、ＰＣという）にインストールし、ＰＣにて、任意のテレビジョン受信機を設置するのに最適な場所をユーザに提案する構成である。
【０１０３】
図１３は実施形態５のＰＣの構成例を示すブロック図である。本実施形態５のＰＣ２は、制御部２０、ＲＡＭ２１、記憶部２２、操作部２３、表示部２４、通信部２５及び読取部２６等を備える。
制御部２０は、例えばＣＰＵ又はＭＰＵである。制御部２０は、ＰＣ２が備える上述したようなハードウェア各部と接続されており、各部の動作を制御する。
【０１０４】
記憶部２２は、ＨＤＤ又はフラッシュメモリ等の記憶装置であり、制御部２０が実行する制御プログラム及び各種データを予め記憶している。制御部２０は、記憶部２２に格納されている制御プログラムを順次ＲＡＭ２１に読み出して実行することにより、ＰＣ２としての動作を行う
ＲＡＭ２１は、ＳＲＡＭ、ＤＲＡＭ、フラッシュメモリ等である。ＲＡＭ２１は、制御部２０による制御プログラムの実行時に発生する種々のデータを一時的に記憶する。
【０１０５】
操作部２３は、ユーザがＰＣ２を操作するために必要な各種の操作キーを備え、ユーザが操作した操作キーに基づく情報を受け付け、受け付けた情報を制御部２０へ送出する。
表示部２４は、例えば液晶ディスプレイ、プラズマディスプレイ又は有機ＥＬディスプレイ等であり、制御部２０からの指示に従って各種の情報を表示する。
通信部２５は、インターネット等のネットワークに接続するためのインタフェースである。
【０１０６】
読取部２６は、例えば、ＣＤ−ＲＯＭドライブ又はＤＶＤドライブであり、ＣＤ−ＲＯＭ又はＤＶＤ−ＲＯＭである記録媒体２６ａから、記録媒体２６ａに格納されたデータを読み出す。
記録媒体２６ａは、実施形態１で説明したテレビジョン受信機１の記憶部１２に格納されていた配置ガイドプログラム１２ａを記憶している。読取部２６は、記録媒体２６ａから配置ガイドプログラム１２ａを読み出して記憶部２２に格納させる。制御部２０は、記憶部２２に格納された配置ガイドプログラム１２ａをＲＡＭ２１に読み出して順次実行し、これにより、本実施形態５のＰＣ２は、実施形態１〜４で説明したテレビジョン受信機１の設置場所案内機能と同様の動作を行う。
【０１０７】
記録媒体２６ａとしては、ＣＤ−ＲＯＭ又はＤＶＤ−ＲＯＭのほかに、フレキシブルディスク、メモリカード、ＵＳＢメモリ等、各種の記録媒体を用いることができる。
また、ＰＣ２は、配置ガイドプログラム１２ａを、通信部２５が接続されたネットワークを介してダウンロードして記憶部２２に格納させてもよい。
【０１０８】
本実施形態５では、ＰＣ２が、任意のテレビジョン受信機について、ユーザの自宅室内における最適な設置場所を決定して提案するので、ユーザは、購入済み又は購入予定のテレビジョン受信機の大きさを操作部２３を介して入力する必要がある。なお、テレビジョン受信機の大きさの入力以外は、上述の実施形態１〜４で説明した処理と同様であるので説明を省略する。
本実施形態５によれば、例えば、テレビジョン受信機の販売店、家の建築会社又はリフォーム会社、住宅展示場等におけるＰＣ２にて、ユーザが視聴環境情報を入力することによって、テレビジョン受信機の設置位置の提案を受けることができる。
【０１０９】
また、ウェブブラウザによってアクセス可能なウェブサーバに、本発明に係るプログラム（配置ガイドプログラム１２ａ）をインストールし、ウェブサーバに設置場所案内機能（テレビジョン受信機の最適な設置場所をユーザに提案する機能）を持たせてもよい。この場合、例えば、テレビジョン受信機の製造メーカが管理するウェブサーバに設置場所案内機能をインストールしておく。そして、ユーザが自宅のＰＣからウェブサーバにアクセスし、ウェブサーバが提供するウェブページを介して視聴環境情報を入力することによって、テレビジョン受信機の最適な設置位置の提案をネットワークを介して受けることができる。
【０１１０】
上述の実施形態１〜５では、ユーザによって入力された視聴環境情報に基づいて特定された候補位置に対して、映り込みが発生する可能性が有るか否かを判定し、映り込みが発生する可能性が有る候補位置を候補位置から除外する構成であった。このほかに、映り込みが発生する可能性が有ると判定した候補位置について、発生する映り込みの度合いを特定してユーザに通知するようにしてもよい。例えば、表示部１８の表示画面を基準とする所定領域内に光源がある場合、光源からの光の表示画面に対する入射角度に応じて映り込み度合いを決定する。また、表示部１８の表示画面を基準とする所定領域内に光源がなく、配置物がある場合、配置物の色、種類又は材質に応じて、又は配置物からの反射光の表示画面に対する入射角度に応じて映り込み度合いを決定する。そして、視聴環境情報に基づいて特定した各候補位置について、映り込みが発生する可能性が有るか否か、映り込みが発生する可能性が有る場合には映り込み度合いをユーザに通知する。このように構成した場合、映り込みが発生する可能性のない候補位置が１つもない場合であっても、各候補位置における映り込み度合いが通知されるので、ユーザは、映り込み度合いがより小さい場所を選択できる。なお、入射角度に応じた映り込み度合い、配置物の色、種類又は材質に応じた映り込み度合いは予め設定しておけばよい。
【０１１１】
以上、本発明の好適な実施形態について具体的に説明したが、各構成及び動作等は適宜変更可能であって、上述の実施形態に限定されることはない。
【符号の説明】
【０１１２】
１  テレビジョン受信機（表示装置）
１０  制御部（特定部、判定部、判断部、報知部、光源検出部、入射検出部、算出部）
１２  記憶部（色情報記憶部、配置物情報記憶部、起動情報記憶部）
１３  操作部（受付部）
１５  チューナ部（受信部）
１８  表示部
１９  カメラ（撮像部）
【図１】
2013258673.tif 000003
【図２】
2013258673.tif 000004
【図３】
2013258673.tif 000005
【図４】
2013258673.tif 000006
【図５】
2013258673.tif 000007
【図６】
2013258673.tif 000008
【図７】
2013258673.tif 000009
【図８】
2013258673.tif 000010
【図９】
2013258673.tif 000011
【図１０】
2013258673.tif 000012
【図１１】
2013258673.tif 000013
【図１２】
2013258673.tif 000014
【図１３】
2013258673.tif 000015